(57)【要約】【課題】ＡＶ系とＰＣ系とで記録媒体を共用する場合、著作権保護すべきディジタル信号のデータ転送を、より安全かつ効率的に行う。【解決手段】信号処理装置１００は、ＡＶ系からの第１のディジタル信号が入出力される第１の入出力部１０１，１０３と、ＰＣ系からの第２のディジタル信号が入出力されるとともに、第２のディジタル信号の記録再生コマンドが入力される第２の入出力部１１８，１１９と、記録再生装置２００，３００を接続し、第１のディジタル信号、第２のディジタル信号を入出力し、記録再生コマンドを出力する第３の入出力部１０６，１１５と、ディジタル信号を暗号復号化する暗号復号部１１２，１１３を備える。調停部１１１は、各入出力部と暗号復号部の間で、制御信号に基づいてディジタル信号を調停し時分割に処理する。【選択図】図１
2007174184.tif 000002
【特許請求の範囲】
【請求項１】
映像音声信号を処理するＡＶ系からの信号と、ＰＣデータを処理するＰＣ系からの信号を入出力する信号処理装置において、
上記ＡＶ系からの第１のディジタル信号が入出力される第１の入出力部と、
上記ＰＣ系からの第２のディジタル信号が入出力されるとともに、該第２のディジタル信号を記録媒体へ記録再生するための記録再生コマンドが入力される第２の入出力部と、
記録再生装置を接続し、上記第１のディジタル信号あるいは上記第２のディジタル信号が入出力されるとともに、該第１のディジタル信号あるいは該第２のディジタル信号を上記記録再生装置へ記録再生するための記録再生コマンドを出力する第３の入出力部と、
上記第１のディジタル信号あるいは上記第２のディジタル信号を暗号化及び復号化する暗号復号部と、
上記第１のディジタル信号あるいは上記第２のディジタル信号を格納するメモリと、
制御信号が入出力される制御信号入出力部と、
上記第１の入出力部、上記第２の入出力部、上記第３の入出力部、上記暗号復号部及び上記メモリとの間で、上記制御信号に基づいて上記ディジタル信号を調停し時分割に処理する調停部と、
を備えたことを特徴とする信号処理装置。
【請求項２】
請求項１に記載の信号処理装置において、
前記調停部は、前記制御信号入出力部に入力された複数の制御信号に基づき、前記暗号復号部において前記ディジタル信号の暗号化及び復号化を並列処理することを特徴とする信号処理装置。
【請求項３】
請求項１に記載の信号処理装置において、
前記制御信号は、前記第１の入出力部から入力した前記第１のディジタル信号を、前記第２の入出力部からは出力させないことを特徴とする信号処理装置。
【請求項４】
映像音声信号を処理するＡＶ系回路と、ＰＣデータを処理するＰＣ系回路とを一体化し、該ＡＶ系及びＰＣ系の信号を記録再生する記録再生装置において、
ＡＶ系からの信号とＰＣ系からの信号を入出力する信号処理部と、該入出力する信号を共有の記録媒体に記録再生する記録再生部を備え、
該信号処理部は、
上記ＡＶ系からの第１のディジタル信号が入出力される第１の入出力部と、
上記ＰＣ系からの第２のディジタル信号が入出力されるとともに、該第２のディジタル信号を記録媒体へ記録再生するための記録再生コマンドが入力される第２の入出力部と、
上記記録再生部に接続し、上記第１のディジタル信号あるいは上記第２のディジタル信号が入出力されるとともに、該第１のディジタル信号あるいは該第２のディジタル信号を上記記録再生装置で記録再生するための記録再生コマンドを出力する第３の入出力部と、
上記第１のディジタル信号あるいは上記第２のディジタル信号を暗号化及び復号化する暗号復号部と、
上記第１のディジタル信号あるいは上記第２のディジタル信号を格納するメモリと、
制御信号が入出力される制御信号入出力部と、
上記第１の入出力部、上記第２の入出力部、上記第３の入出力部、上記暗号復号部及び上記メモリとの間で、上記制御信号に基づいて上記ディジタル信号を調停し時分割に処理する調停部と、
を有することを特徴とした記録再生装置。
【請求項５】
請求項４に記載の記録再生装置において、
前記ＡＶ系回路は、前記映像音声信号からコピー制限情報を検出すると、前記信号処理部に制御情報として伝え、
該信号処理部は、入力する第１のディジタル信号を前記暗号復号部にて暗号化し、前記記録再生部に出力することを特徴とする記録再生装置。
【発明の詳細な説明】
【技術分野】
【０００１】
本発明は、複数系統の映像・音声等のディジタル信号に対し暗号・復号処理を行う信号処理装置及びこれを用いた記録再生装置に関する。
【背景技術】
【０００２】
近年、ディジタル映像・音声（ＡＶ）信号等を記録するため、ハードディスクや光ディスクを記録媒体とするＨＤＤレコーダ、ＤＶＤレコーダが普及している。さらに、ＰＣ（Ｐｅｒｓｏｎａｌ  Ｃｏｍｐｕｔｅｒ）と一体化し、これらの記録媒体を共有する一体型レコーダや、テレビジョン機能を備え、受信した放送番組をＰＣ画面でモニタし、記録媒体に保存する多機能製品も商品化されている。
【０００３】
このようなＡＶ系とＰＣ系を融合した一体型装置では、ディジタル信号の伝送路としてＰＣＩ（Ｐｅｒｉｐｈｅｒａｌ  Ｃｏｍｐｏｎｅｎｔ  Ｉｎｔｅｒｃｏｎｎｅｃｔ）バスを有している。その際、ＰＣＩバス上に流れるディジタル信号が不法にコピーされないよう、信号を暗号化処理して著作権を保護している。
【０００４】
例えば特許文献１では、入力したディジタル信号を暗号化して記録媒体に記録するとともに、ＰＣＩバス上では暗号化された信号を伝送して著作権を保護する技術が開示される。
【０００５】
【特許文献１】特開２００５−１８２３３７号公報
【発明の開示】
【発明が解決しようとする課題】
【０００６】
前記特許文献１に記載の技術では、ＡＶ側に入力した映像・音声ディジタル信号（ストリーム信号）は、必要に応じて暗号化されてＰＣ側に設けられたハードディスクや光ディスク等の記録媒体に記録される。その際、ＡＶ側からＰＣ側へは暗号化されたディジタル信号がＰＣＩバスを介して伝送されるが、ＰＣＩバス上では外部から窃取される可能性が残されており、より強固な著作権保護が望まれる。
【０００７】
一方ＰＣ側においては、上記記録媒体には、上記著作権保護が必要なＡＶ系ストリーム信号とともに、オペレーションシステムやアプリケーションなどのＰＣデータを格納する。このように、記録媒体をＡＶ系とＰＣ系とで共用する場合、両者の信号の転送を効率よく処理することが必要になる。
【０００８】
本発明は、ＡＶ系とＰＣ系とで記録媒体を共用する場合、著作権保護すべきディジタル信号のデータ転送を、より安全かつ効率的に行う装置を提供することを目的とする。
【課題を解決するための手段】
【０００９】
本発明は、映像音声信号を処理するＡＶ系からの信号と、ＰＣデータを処理するＰＣ系からの信号を入出力する信号処理装置であって、ＡＶ系からの第１のディジタル信号が入出力される第１の入出力部と、ＰＣ系からの第２のディジタル信号が入出力されるとともに、第２のディジタル信号を記録媒体へ記録再生するための記録再生コマンドが入力される第２の入出力部と、記録再生装置を接続し、第１のディジタル信号あるいは第２のディジタル信号が入出力されるとともに、第１のディジタル信号あるいは第２のディジタル信号を記録再生装置へ記録再生するための記録再生コマンドを出力する第３の入出力部と、第１のディジタル信号あるいは第２のディジタル信号を暗号化及び復号化する暗号復号部と、第１のディジタル信号あるいは第２のディジタル信号を格納するメモリと、制御信号が入出力される制御信号入出力部と、第１の入出力部、第２の入出力部、第３の入出力部、暗号復号部及びメモリとの間で、制御信号に基づいてディジタル信号を調停し時分割に処理する調停部とを備える。
【００１０】
本発明は、映像音声信号を処理するＡＶ系回路と、ＰＣデータを処理するＰＣ系回路とを一体化し、ＡＶ系及びＰＣ系の信号を記録再生する記録再生装置であって、ＡＶ系からの信号とＰＣ系からの信号を入出力する信号処理部と、入出力する信号を共有の記録媒体に記録再生する記録再生部を備える。信号処理部は、ＡＶ系からの第１のディジタル信号が入出力される第１の入出力部と、ＰＣ系からの第２のディジタル信号が入出力されるとともに、第２のディジタル信号を記録媒体へ記録再生するための記録再生コマンドが入力される第２の入出力部と、記録再生部に接続し、第１のディジタル信号あるいは第２のディジタル信号が入出力されるとともに、第１のディジタル信号あるいは第２のディジタル信号を記録再生装置で記録再生するための記録再生コマンドを出力する第３の入出力部と、第１のディジタル信号あるいは第２のディジタル信号を暗号化及び復号化する暗号復号部と、第１のディジタル信号あるいは第２のディジタル信号を格納するメモリと、制御信号が入出力される制御信号入出力部と、第１の入出力部、第２の入出力部、第３の入出力部、暗号復号部及びメモリとの間で、制御信号に基づいてディジタル信号を調停し時分割に処理する調停部とを有する。
【発明の効果】
【００１１】
本発明によれば、ＡＶ系とＰＣ系とで記録媒体を共用する装置において、著作権保護すべきディジタル信号のデータ転送を、より安全かつ効率的に行うことができる。
【発明を実施するための最良の形態】
【００１２】
以下、本発明による信号処理装置と、これを用いた記録再生装置の実施形態について説明する。
【実施例１】
【００１３】
図１は、本発明による信号処理装置１００の一実施形態を示すブロック図である。
入力インタフェース部１０２は、入力端子１０１を介してＡＶ系から入力された映像・音声ディジタル信号（以下、ＡＶディジタル信号）を受け取り、アービタ１１１に渡す。出力インタフェース部１０４は、アービタ１１１から受け取ったＡＶディジタル信号を出力端子１０３を介してＡＶ系へ出力する。
【００１４】
入出力インタフェース部１１８，１１９は、入出力端子１１６，１１７を介してＰＣ系と接続し、ＰＣデータやコマンド等のディジタル信号（以下、ＰＣディジタル信号）を入出するとともに、アービタ１１１からはＰＣデータを出力する。特にこの入出力インタフェース部１１８，１１９は、ＰＣ側から見て、あたかも記録媒体が接続されているかのように、書き込み読み出し等のコマンドを受け、データの入出力を行う。具体的には、ＡＴＡ（ＡＴ  Ａｔｔａｃｈｍｅｎｔ）インタフェースのデバイス側の役割を担うもので、ＡＴＡコマンドによりデータの書き込み読み出し制御を受け、データの入出力を行う点に特徴がある。
【００１５】
入出力インタフェース部１０６，１１５は、入出力端子１０５，１１４を介して記録再生装置と接続し、ＨＤＤやＤＶＤ等の記録媒体に記録・再生するディジタル信号を入出力するとともに、アービタ１１１との間で信号を受け渡す。特にこの入出力インタフェース部１０６，１１５は、ＰＣデータについては書き込み読み出し等のコマンドとともに入出力する。具体的には、記録再生装置側から見て、ＡＴＡインタフェースのホスト側の役割を担うもので、ＡＴＡコマンドを発行してデータの書き込み読み出しを行う点に特徴がある。
【００１６】
暗号復号部１１２，１１３は、各ディジタル信号の暗号及び復号処理を行う。アービタ（調停部）１１１は、各インタフェース部と暗号復号部との間で、ディジタル信号のメモリ１１０への書き込み及び読み出しを時分割に処理する。制御信号インタフェース部１０７は、制御端子１０９を介し入出力される制御信号を制御部１０８に送受し、制御部１０８は、アービタ１１１と各インタフェース部、暗号復号部を制御する。
【００１７】
はじめに、入力端子１０１から入力されるＡＶディジタル信号を、記録媒体に記録するために入出力端子１０５を介して出力する動作について説明する。外部から制御信号が制御端子１０９を介して制御インタフェース部１０７に供給される。
【００１８】
入力端子１０１を介して入力インタフェース部１０２から入力されるＡＶディジタル信号は、アービタ１１１を介してメモリ１１０に格納される。ここで、受け取った制御信号が暗号復号部１１２による暗号化を指示している場合は、メモリ１１０に格納されたディジタル信号は、一旦アービタ１１１により読み出され、暗号復号部１１２において暗号化されてアービタ１１１を介し再度メモリ１１０に格納される。続いてアービタ１１１は、暗号復号部１１２により暗号化されメモリ１１０に格納されたＡＶディジタル信号を入出力インタフェース部１０６に供給し、ＡＶディジタル信号が入出力端子１０５から出力される。
【００１９】
受け取った制御信号が、暗号復号部１１３による暗号化を指示している場合は、メモリ１１０に格納されたディジタル信号は、一旦アービタ１１１により読み出され、暗号復号部１１３において暗号化されて再度メモリ１１０に格納される。続いてアービタ１１１は、暗号復号部１１３により暗号化されメモリ１１０に格納されたディジタル信号を入出力インタフェース部１０６に供給し、ディジタル信号が入出力端子１０５から出力される。
【００２０】
受け取った制御信号が、暗号化を指示していない場合は、入力インタフェース部１０１から入力されメモリ１１０に格納されたディジタル信号が、アービタ１１１から読み出され、入出力インタフェース部１０６に供給され、ディジタル信号が入出力端子１０５から出力される。
【００２１】
次に、記録媒体から再生され入出力端子１０５から入力されるＡＶディジタル信号を出力端子１０３に出力する動作について説明する。前述のように、外部からの制御信号は、制御端子１０９を介して制御部１０８に供給される。
【００２２】
入出力端子１０５を介して入出力インタフェース部１０６から入力されるＡＶディジタル信号は、アービタ１１１を介してメモリ１１０に格納される。ここで、受け取った制御信号が暗号復号部１１２による復号化を指示している場合は、メモリ１１０に格納されたＡＶディジタル信号は、一旦アービタ１１１により読み出され、暗号復号部１１２において復号化されてアービタ１１１を介し再度メモリ１１０に格納される。続いてアービタ１１１は、メモリ１１０に格納されている復号化されたＡＶディジタル信号を出力インタフェース部１０４に供給し、ＡＶディジタル信号は出力端子１０３から出力する。
【００２３】
受け取った制御信号が、暗号復号部１１３による復号化を指示している場合は、メモリ１１０に格納されたディジタル信号は、アービタ１１１により読み出され、暗号復号部１１３において復号化されて再度メモリ１１０に格納される。続いて、アービタ１１１は暗号復号部１１３により復号化されメモリ１１０に格納されたディジタル信号を出力インタフェース部１０４に供給し、ディジタル信号が出力端子１０３から出力される。
【００２４】
受け取った制御信号が、復号化を指示していない場合は、入出力インタフェース部１０６から入力されメモリ１１０に格納されたＡＶディジタル信号が、アービタ１１１から読み出され、出力インタフェース１０４に供給され、ＡＶディジタル信号が出力端子１０３から出力される。
【００２５】
次に、入出力端子１１６で入出力されるＰＣディジタル信号を、入出力端子１０５を介し記録媒体へ記録再生信号として入出力する動作について説明する。この場合には、ＰＣディジタル信号は書き込み読み出し等のコマンド（ＡＴＡコマンド）を含み、これに従いアービタ１１１はホスト側であるＰＣ側にて入出力するＰＣディジタル信号を、入出力端子１０５を介しデバイス側である記録再生装置へ入出力する。メモリ１１０や、暗号復号部の動作は上記ＡＶディジタル信号の場合と同様である。また、入出力端子１１７で入出力されるＰＣディジタル信号についても同様である。
【００２６】
次に、入出力端子１０５から入力されるディジタル信号（記録媒体からの再生信号）を復号及び暗号化して入出力端子１１４に出力（他の記録媒体へダビング）する動作について説明する。前述のように、ホストからの制御信号は、制御端子１０９を介して制御インタフェース部１０７から供給される。
【００２７】
まず、入出力端子１０５を介して入出力バスインタフェース部１０６から入力されるディジタル信号（記録媒体からの再生信号）は、アービタ１１１を介してメモリ１１０に格納される。ここで、メモリ１１０に格納されたディジタル信号は、一旦アービタ１１１により読み出され、暗号復号部１１２において復号化されて再度メモリ１１０に格納される。さらに、格納されているディジタル信号がアービタ１１１を介し読み出され、暗号復号部１１３において暗号化されて再度メモリ１１０に格納される。続いて、アービタ１１１はメモリ１１０に格納されている暗号化されたディジタル信号を入出力バスインタフェース部１１５に供給し、暗号化されたディジタル信号が入出力端子１１４から他の記録媒体へ出力される。
【００２８】
また、上述の動作をアービタ１１１が時分割で並列処理する場合を説明する。外部からの制御信号が、入制御端子１０９を介して制御インタフェース部１０７から供給されるが、さらに別の制御信号を供給することで、複数の処理を並列処理することが可能である。
【００２９】
例えば、前述した暗号復号部１１２による暗号化を指示する制御信号と、暗号復号部１１３による復号化を指示する制御信号とを重ねて受け取った場合を説明する。入力端子１０１を介して入力インタフェース部１０２から入力されるＡＶディジタル信号（以下、第１信号と呼ぶ）がアービタ１１１を介してメモリ１１０に格納されると共に、入出力端子１１４を介して入出力インタフェース部１１５から入力されるディジタル信号（以下、第２信号と呼ぶ）がアービタ１１１を介してメモリ１１０に格納される。この場合、アービタ１１１はそれぞれのインタフェース部から入力される第１、第２信号をメモリ１１０の異なる領域に時分割で格納する。
【００３０】
次にアービタ１１１は、メモリ１１０に格納されたディジタル信号を読み出し、第１信号については暗号復号部１１２に供給し、該暗号復号部１１２において暗号化された第１信号を再度メモリ１１０に格納する。また、第２信号については暗号復号部１１３に供給し、該暗号復号部１１３において復号化された第２信号を再度メモリ１１０に格納する。この場合も、メモリ１１０の上記とは異なる領域に時分割で格納する。
【００３１】
さらにアービタ１１１は、メモリ１１０から、暗号復号部１１２において暗号化された第１信号を入出力インタフェース部１０６に供給し、また、暗号復号部１１３において復号化された第２信号を出力インタフェース部１０４に供給する。この場合も時分割に読み出しが行われる。
【００３２】
以上のように、本実施例のアービタ１１１により、暗号化と復号化の複数並列処理を実現することができる。また、入出力端子１１６から入力されるＰＣディジタル信号を入出力端子１０５から出力しながら、入出力端子１１４から入力されるＡＶディジタル信号を復号化して出力端子１０３から出力することも可能である。
【００３３】
その他、前述した入出力端子１０５から入力されるディジタル信号を復号及び暗号化して入出力端子１１４に出力する動作において、暗号復号部１１２で復号化し、さらに同じ暗号復号部１１２において復号時とは異なる鍵で暗号化することも可能である。
【００３４】
さらに、前述した入出力端子１０５から入力されるディジタル信号を復号及び暗号化して入出力端子１１４に出力する動作をしながら、例えば、入出力端子１０５から入力されるディジタル信号を暗号復号部１１２により復号し出力インタフェース部１０４を介し入出力端子１０３からの出力等、同様に並列処理を行うことが可能である。
【００３５】
ここで制御信号は、ＡＶ系の入出力部１０１から入力したＡＶディジタル信号を、ＰＣ系の入出力部１１６，１１７からは出力させないように制御する。これにより、保護すべきＡＶディジタル信号がＰＣＩなどの共通バスに転送されることがなく、不法に窃取される恐れがない。
【００３６】
上記のように本実施例の信号処理装置は、性質の異なるＡＶ系のディジタル信号とＰＣ系のディジタル信号を入出力し、共通のインタフェースを介して共通の記録再生装置との間で転送するものである。そして、これらの信号を適宜暗号・復号化処理を施し著作権を保護すると共に、信号処理を並列処理することにより、データ転送を、安全かつ効率的に実行することが可能となる。
【００３７】
図１に示した信号処理装置の構成は一例であり、入出力部、暗号復号部、メモリ等の数と配置は任意に構成できる。
【実施例２】
【００３８】
図２は、前記信号処理装置１００を適用したディジタルレコーダ４００の一実施例を示すブロック図である。ＡＶ系には、例えばハードディスクドライブなどの記録再生部２００と、光ディスクドライブなどの記録再生部３００を備え、ＰＣ系のデータをこの記録再生部２００，３００を共用して記録再生する。信号処理装置１００は、ＡＶ系のデータとＰＣ系のデータを転送、暗号復号化及び記録再生するための信号処理を行う。信号処理装置１００の入出力端子は、図１と同様の符号で示す。
【００３９】
ＡＶ系の構成は、映像信号入力端子４０１、音声信号入力端子４０２、映像信号Ａ／Ｄコンバータ４０３、音声信号Ａ／Ｄコンバータ４０４、コピー制限情報検出回路４０５、映像信号圧縮回路４０７、音声信号圧縮回路４０８、システムエンコーダ４０９、制御バス４１０、システムデコーダ４１４、映像信号伸張回路４１５、音声信号伸張回路４１６、グラフィックス回路４２５、映像信号Ｄ／Ａコンバータ４１７、音声信号Ｄ／Ａコンバータ４１８、映像信号出力端子４１９、音声信号出力端子４２０である。
【００４０】
ＰＣ系の構成は、ＣＰＵ４２１、メモリ４１２、これらと接続するＣＰＵインタフェース（ノースブリッジ）４１３、ノースブリッジ４１３と信号処理装置１００を接続するバスインタフェース（サウスブリッジ）４１１である。
【００４１】
まず、入力端子４０１，４０２から入力した映像・音声信号を、記録再生部２００及び記録再生部３００にて記録及び再生する動作について説明する。
【００４２】
映像信号入力端子４０１から入力された映像信号は、映像信号Ａ／Ｄコンバータ４０３においてディジタル信号に変換され、コピー制限情報検出回路４０５に入力されるとともに、映像信号圧縮回路４０７に入力される。コピー制限情報検出回路４０５では、例えば、映像信号の垂直帰線区間に重畳されているコピー制限情報を検出する。コピー制限情報としては、コピー可、一世代コピー可、コピー禁止の意味を持つ情報であり、コピー禁止の場合は、以下の動作は行わない。なお、検出したコピー制限情報は、制御バス４１０、制御信号端子１０９を経て信号処理装置１００に伝えられる。
【００４３】
映像信号圧縮回路４０７では、例えば、映像圧縮符号化方式としてＩＳＯ／ＩＥＣ１３８１８−２（通称ＭＰＥＧ２＿Ｖｉｄｅｏ）ＭＰ＠ＭＬ（Ｍａｉｎ  Ｐｒｏｆｉｌｅ＠Ｍａｉｎ  Ｌｅｖｅｌ）規格に準拠した圧縮符号化データを生成する。映像圧縮符号化方式としては、これに限定するものではなく、ＪＰＥＧ規格方式などでもよい。生成した圧縮符号化映像データは、システムエンコーダ４０９に入力される。
【００４４】
また、音声信号入力端子４０２から入力された音声信号は、音声信号Ａ／Ｄコンバータ４０４において所定のサンプリングレートによりアナログ／ディジタル変換が行われる。ディジタル信号に変換された音声信号は、音声信号圧縮回路４０８に入力される。音声信号圧縮回路４０８では、例えば、音声圧縮符号化方式としてＩＳＯ／ＩＥＣ１３８１８−１（通称ＭＰＥＧ２＿Ａｕｄｉｏ）規格に準拠した圧縮符号化データを生成する。音声圧縮符号化方式についても特にこれ限定するものではない。生成した圧縮符号化音声データは、システムエンコーダ４０９に入力される。
【００４５】
システムエンコーダ４０９に入力された圧縮符号化映像データ及び圧縮符号化音声データは、それぞれパケット化及び多重化され、一本のシステムストリームに変換された後、信号処理装置１００に入力される。システムストリームには、付加情報として、元映像のサイズ、縦横比、システムストリーム中の圧縮符号化映像データ及び圧縮符号化音声データのビットレート、コピー制限情報等が追加される。ここで、コピー制限情報検出回路４０５で一世代コピー可の検出がされた場合、例えば、システムストリームに追加されるコピー制限情報としては、コピー禁止の情報に変更されて追加される。
【００４６】
信号処理装置１００内の制御部１０８は、コピー制限情報検出回路４０５の検出結果をもとに、一世代コピー可の検出がされた場合、暗号化処理の指示を行う。
【００４７】
入力端子１０１から信号処理装置１００に入力されたシステムストリームは、前述のように入出力端子１０５から記録再生部２００へ、又は入出力端子１１４から記録再生部３００にて記録される。
【００４８】
この際、例えば記録再生部２００で記録する場合は、図１の暗号復号部１１２により暗号化を行い、記録再生部３００で記録する場合は、図１の暗号復号部１１３により暗号化を行う。信号処理装置１００の暗号化動作については前述した通りである。もちろん、同じ暗号復号部で暗号化を行ってもよい。
【００４９】
なお、信号処理装置１００内部の暗号復号部１１２，１１３に供給する暗号復号鍵を生成するための鍵情報として、信号処理装置１００が保有している固有情報を用いてもよい。また、暗号復号部１１２，１１３に供給する暗号復号鍵を生成するための鍵情報として、上記に加えて、記録再生部３００の光ディスクが持つ固有情報を用いてもよい。
【００５０】
ここで、システムストリームが暗号復号部１１２，１１３において暗号化されるのは、前述のコピー制限情報検出回路４０５において、例えば一世代コピー可の情報を検出した場合であり、コピー可の場合は暗号化されなくてもよい。
【００５１】
一方、記録再生部２００又は記録再生部３００にて再生されるシステムストリームは、入出力端子１０５又は入出力端子１１４を経由して信号処理装置１００に入力される。
【００５２】
信号処理装置１００に入力されたシステムストリームは、出力端子１０３を介してシステムデコーダ４１４に入力される。信号処理装置１００の動作については前述した通りであり、暗号復号部１１２又は暗号復号部１１３に供給する暗号復号鍵は記録時と同一のものとなる。
【００５３】
システムデコーダ４１４に入力されたシステムストリームは、圧縮符号化映像データ、及び圧縮符号化音声データのパケットにそれぞれ分離され、各々のパケットから取り出した圧縮符号化映像データは映像信号伸張回路４１５に、また圧縮符号化音声データは音声信号伸張回路４１６に入力される。伸張が施された映像信号はグラフィックス回路４２５を介して映像信号Ｄ／Ａコンバータ４１７に、音声信号は音声信号Ｄ／Ａコンバータ４１８に入力され、アナログ信号に変換され、映像信号出力端子４１９、音声信号出力端子４２０から出力される。
【００５４】
以上のように、記録する映像音声信号のコピー制限情報に基づいて信号処理装置１００において、記録媒体に応じて暗号化、復号化処理が行われ、記録媒体上には暗号化されたシステムストリームが記録されるので記録媒体上での著作権が保護できる。また、制御バス４１０上にはシステムストリームが伝送されないので、保護すべき映像・音声データが窃取される恐れがなく、安全にデータ転送が行える。
【００５５】
次に、記録再生部２００から記録再生部３００へのダビング動作について説明する。記録再生部２００から再生されるシステムストリームは、入出力端子１０５を経由して信号処理装置１００に入力されメモリ１１０に格納される。そして、制御端子１０９から受け取った制御信号に従い、復号処理、暗号処理がなされ、入出力端子１１４から記録再生部３００へ出力され、記録再生部３００にて記録される。信号処理装置１００の動作については前述した通りである。
【００５６】
以上のように、記録媒体間のダビング動作においても、信号処理装置１００において、記録媒体に応じて暗号化、復号化処理が行われ、記録媒体上には暗号化されたシステムストリームが記録されるので記録媒体上での著作権が保護できる。また、制御バス４１０上にはシステムストリームが伝送されないので、安全にデータ転送が行える。
【００５７】
また、記録動作を行いながらの再生動作を行うことも可能である。例えば、記録再生部２００にて記録しながら、記録再生部３００からの再生を行う場合を説明する。信号処理装置１００に入力されるシステムエンコーダ４０９からのシステムストリームは、入出力端子１０５から、記録再生部２００にて記録される。これとともに、記録再生部３００から再生されたシステムストリームを、入出力端子１１４を経由し、システムデコーダ４１４に供給する。これにより、記録再生部２００での記録動作とは独立して、記録再生部３００での再生動作が実現できる。
【００５８】
また、記録再生部２００から記録再生部３００へのダビング動作中に、例えば記録再生部２００からダビングしているシステムストリームとは別のシステムストリームの再生動作を行うことも可能である。
これらの動作は、前述の信号処理装置１００における並列処理に基づくものである。
【００５９】
次に、ＰＣ系のデータの記録及び再生動作を説明する。
ＣＰＵ４２１からＣＰＵインタフェース４１３、バスインタフェース４１１、入出力端子１１６，１１７を経由し、記録再生装置２００，３００に対しデータ転送することが可能である。通常ＰＣのバスインタフェース４１１には、ハードディスクドライブや光ディスクドライブなどの記録再生装置が接続されるが、本実施例ではその代わりに、信号処理装置１００を中継して接続する。入出力端子１１６，１１７は、ＰＣ側と信号処理装置１００の接続端子である。この場合、入出力端子１１６，１１７は、例えばハードディスクドライブや光ディスクドライブで用いられているインタフェース規格ＡＴＡのディスクドライブ側の仕様に準拠する。よって、バスインタフェース４１１からは、ハードディスクドライブや光ディスクドライブが接続されているように見える。その結果ＰＣ側では、ＡＶ側に設けた記録再生装置２００，３００にてＰＣデータを格納し、従来と同様の書き込み読み出しコマンド（ＡＴＡコマンド）を送るだけで、ＰＣデータの書き込み読み出しを行うことができる。
【００６０】
また、ＰＣ側ＣＰＵインタフェース４１３から出力される映像信号は、グラフィックス回路４２５において映像伸張回路４１５から入力される映像信号と重ね合わせて出力することが可能である。
【実施例３】
【００６１】
図３は、前記信号処理装置１００を適用したディジタルレコーダ４００の他の実施例を示すブロック図である。本実施例では、図２の実施例に対し、２系統のディジタル放送信号入力端子４２７，４２８と、ディジタルチューナ４２２，４２４、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）などのグラフィックス出力端子４２６を設けたものである。そして信号処理装置１００には、入力端子１０１ａ，１０１ｂ，１０１ｃと、出力端子１０３を設けている。
【００６２】
本実施例では、衛星、ケーブル等から放送されたディジタル放送信号がディジタル放送信号入力端子４２７，４２８を介して入力され、ディジタルチューナ４２２，４２４においてそれぞれ復調、選局処理がなされ、システムストリームとなって信号処理装置１００の入力端子１０１ｂ，１０１ｃに入力する。そして、信号処理装置１００では必要に応じて暗号復号処理を行い、入出力端子１０５や入出力端子１１４を介して記録再生部２００や記録再生部３００への記録再生動作を行う。
【００６３】
この場合、コピー制限情報はディジタルチューナ４２２，４２８において検出し、信号処理装置１００に伝達する方法がある。その他、信号処理装置１００によりシステムストリームの中から検出してもよい。
【００６４】
その他、ディジタルチューナ４２２，４２４で扱われるシステムストリームがＭＰＥＧ２トランスポートパケットストリームの場合、到来するトランスポートパケットの間隔を維持するための時間情報を付加する処理を信号処理装置１００で行ってもよい。
【００６５】
一方ＰＣ側のデータを、ＣＰＵ４２１からＣＰＵインタフェース４１３、バスインタフェース４１１、入出力端子１１６を経由し、記録再生装置２００に対し転送することが可能である。さらに、ＣＰＵインタフェース４１３から出力される映像信号は、グラフィックス回路４２５において映像伸張回路４１５から入力される映像信号と重ね合わせて出力することが可能である。
【００６６】
本実施例においても、ディジタル放送信号のシステムストリームのコピー制限情報に基づいて信号処理装置１００において、記録媒体に応じて暗号化、復号化処理が行われ、記録媒体上には暗号化されたシステムストリームが記録されるので記録媒体上での著作権が保護できる。また、制御バス４１０上にはシステムストリームが伝送されないので、安全にデータ転送が行える。
【００６７】
本発明は、上記各実施例に限らず、その要旨を逸脱しない範囲内で種々変形して実施することが可能である。よって、記録再生装置において、入出力するＡＶ系の信号形態は任意である。
【図面の簡単な説明】
【００６８】
【図１】本発明による信号処理装置１００の一実施形態を示すブロック図。
【図２】信号処理装置を適用したディジタルレコーダの一実施例を示すブロック図。
【図３】信号処理装置を適用したディジタルレコーダの他の実施例を示すブロック図。
【符号の説明】
【００６９】
１００…信号処理装置、１０１…入力端子、１０２…入力インタフェース部、１０３…出力端子、１０４…出力インタフェース部、１０５，１１４…入出力端子、１０６，１１５…入出力インタフェース部、１０７…制御インタフェース、１０８…制御部、１０９…制御端子、１１０…メモリ、１１１…アービタ（調停部）回路、１１２，１１３…暗号復号部、１１６，１１７…入出力端子、１１８，１１９…入出力インタフェース部、２００，３００…記録再生部、４００…ディジタルレコーダ、４０３，４０４…Ａ／Ｄコンバータ、４０５…コピー制限情報検出回路、４０７…映像信号圧縮回路、４０８…音声信号圧縮回路、４０９…システムエンコーダ、４１０…制御バス、４１１…バスインタフェース、４１２…メモリ、４１４…システムデコーダ、４１５…映像信号伸張回路、４１６…音声信号伸張回路、４１７，４１８…Ｄ／Ａコンバータ、４２１…ＣＰＵ、４２７，４２８…ディジタル放送信号入力端子、４２２，４２４…ディジタルチューナ、４２５…グラフィックス回路、４２６…グラフィックス出力端子。
【図１】
2007174184.tif 000003
【図２】
2007174184.tif 000004
【図３】
2007174184.tif 000005